(57)【要約】【課題】アームの旋回速度を規制してアームが瞬時に凹部に納まることを防ぎ、物品をフックに確実に掛けることができる埋め込み型ハンガーを提供する。【解決手段】埋め込み型ハンガー１は、縦長のケース３と、縦方向上下に旋回する縦長のアーム４と、アーム４を縦方向上方へ旋回させるコイルバネ５と、バネ５の反発力を抑制する制動装置６とから構成されている。アーム４は、フック１９が形成された上端部１６と、押圧凸起２１が形成されて軸２０を介してケース３に回転可能に取り付けられた下端部１８とを有する。制動装置６は、粘性粒体を収容したハウジング２６と、ハウジング２６に回転可能に取り付けられた制動歯車２７とを有する。バネ５の反発力によって縦方向上方へ旋回するアーム４の旋回速度は、制動歯車２７の回転抵抗によって縦方向下方から上方へ向かうにつれて次第に減速する。【選択図】図４
2005245554.tif 000002
【特許請求の範囲】
【請求項１】
構造物の外面から内側へ向かって凹む凹部を有して該構造物に固定される縦長のケースと、前記凹部に収容されて縦方向上下に旋回する縦長のアームと、前記凹部に配置されて前記アームを縦方向上方へ旋回させる付勢バネとから構成され、前記ケースが、前記構造物の外面に当接する周縁部と、前記構造物に埋め込まれて前記凹部を囲繞する胴部とを有し、前記アームが、前記凹部の内側に向かって延びるフックが形成された上端部と、前記凹部の外側に向かって延びる押圧凸起が形成されて前記胴部に軸を介して回転可能に取り付けられた下端部とを有し、前記バネの反発力に抗して前記アームを縦方向下方へ旋回させると、前記フックが前記アームの上端部とともに前記ケースの外側に露出し、前記バネの反発力によって前記アームが縦方向上方へ旋回すると、前記アームが前記凹部に納まって該凹部に対する該アームの収容状態が保持される埋め込み型ハンガーにおいて、
抵抗体を収容したハウジングと前記ハウジングに回転可能に取り付けられた制動歯車とを有する制動装置が、前記ケース内に配置されて前記胴部に固定され、前記制動歯車に噛み合うセクター歯車が、前記アームの下端部に形成され、前記バネの反発力が、前記制動歯車の回転抵抗によって抑制され、前記アームの旋回速度が、縦方向下方から上方へ向かうにつれて次第に減速することを特徴とする前記ハンガー。
【請求項２】
前記ハンガーでは、前記アームが縦方向下方へ旋回して前記上端部と前記フックとが前記ケースに対して斜め上方に位置したときに、前記アームの下端部に形成された押圧凸起の後面が前記ケースの胴部の底壁に当接して該アームの縦方向下方への旋回が停止する請求項１記載のハンガー。
【発明の詳細な説明】
【技術分野】
【０００１】
本発明は、衣類や携帯品等の物品を掛ける埋め込み型ハンガーに関する。
【背景技術】
【０００２】
壁の外面から内側へ向かって凹む凹部を有して壁に固定される縦長のケースと、凹部に収容されて縦方向上下に旋回する縦長のアームと、凹部に配置されてアームを縦方向上方へ旋回させるコイルバネとから構成された壁面埋め込み型ハンガーがある（特許文献１参照）。ケースは、壁の外面に当接する周縁部と、凹部を囲繞する胴部とを有する。ケースを壁に固定すると、胴部が壁内に埋め込まれる。アームは、凹部の内側に向かって延びるフックが形成された上端部と、凹部の外側に向かって延びる押圧凸起が形成された下端部と、上下端部間に延びる中間部とを有する。アームの下端部は、軸を介してケースの胴部に回転可能に取り付けられている。バネは、軸に嵌め込まれている。バネは、アームの下端部に当接する端部と、胴部の底壁に当接する端部とを有する。
【０００３】
このハンガーは、押圧凸起を指で押し、バネの反発力に抗してアームの下端部をケースの凹部に押し込むと、アームが下端部を中心に縦方向下方へ旋回する。アームが縦方向下方へ旋回すると、フックがアームの上端部および中間部とともにケースの外側に露出するので、フックに衣類や携帯品等の物品を掛けることができる。物品をフックから外すと、バネの反発力によってアームが縦方向上方へ旋回してアーム全体が凹部に納まる。凹部に対するアームの収容状態は、バネの反発力によって保持される。
【特許文献１】特開平１０−８５１１６号公報
【発明の開示】
【発明が解決しようとする課題】
【０００４】
前記公報に開示のハンガーは、押圧凸起から指を離すと、バネの反発力によってアームが縦方向上方へ旋回して瞬時に凹部に納まるので、物品をフックに掛ける前にアームが凹部に納まってしまう場合がある。このハンガーは、物品を素早くフックに掛けないと、物品がフックに引っ掛からず、再び押圧凸起を押してアームを縦方向下方へ旋回させる操作が必要となり、そのような操作を再三繰り返さなければならない場合がある。
【０００５】
本発明の目的は、アームの旋回速度を規制してアームが瞬時に凹部に納まることを防ぎ、物品をフックに確実に掛けることができる埋め込み型ハンガーを提供することにある。
【課題を解決するための手段】
【０００６】
前記課題を解決するための本発明の前提は、構造物の外面から内側へ向かって凹む凹部を有して該構造物に固定される縦長のケースと、凹部に収容されて縦方向上下に旋回する縦長のアームと、凹部に配置されてアームを縦方向上方へ旋回させる付勢バネとから構成され、ケースが、構造物の外面に当接する周縁部と、構造物に埋め込まれて凹部を囲繞する胴部とを有し、アームが、凹部の内側に向かって延びるフックが形成された上端部と、凹部の外側に向かって延びる押圧凸起が形成されて胴部に軸を介して回転可能に取り付けられた下端部とを有し、バネの反発力に抗してアームを縦方向下方へ旋回させると、フックがアームの上端部とともにケースの外側に露出し、バネの反発力によってアームが縦方向上方へ旋回すると、アームが凹部に納まって該凹部に対する該アームの収容状態が保持される埋め込み型ハンガーである。
【０００７】
前記前提における本発明の特徴は、抵抗体を収容したハウジングとハウジングに回転可能に取り付けられた制動歯車とを有する制動装置がケース内に配置されて胴部に固定され、制動歯車に噛み合うセクター歯車がアームの下端部に形成されていることにある。本発明では、付勢バネの反発力が制動装置によって抑制され、アームの旋回速度が縦方向下方から上方へ向かうにつれて次第に減速する。
【０００８】
本発明の実施態様の一例として、アームが縦方向下方へ旋回してアームの上端部とフックとがケースに対して斜め上方に位置したときに、アームの下端部に形成された押圧凸起の後面がケースの胴部の底壁に当接して該アームの縦方向下方への旋回が停止する。
【発明の効果】
【０００９】
本発明に係る埋め込み型ハンガーによれば、アームの下端部に形成されたセクター歯車が噛み合う制動歯車の回転抵抗によって、付勢バネの反発力が抑制され、アームの旋回速度が縦方向下方から上方へ向かうにつれて次第に減速するので、押圧凸起から指を離したとしても、アームが瞬時にケースの凹部に納まることがなく、衣類や携帯品等の物品を素早くフックに掛ける必要はない。このハンガーは、物品をフックに掛ける前にアームが凹部に納まってしまうことがなく、一度の操作で物品をフックに確実に掛けることができる。
【００１０】
ハンガーは、アームが縦方向下方へ旋回してアームの上端部とフックとがケースに対して斜め上方に位置したときに、アームの下端部に形成された押圧凸起の後面がケースの胴部の底壁に当接し、アームの縦方向下方への旋回が停止するので、フックに掛けられた物品の重さでアームが縦方向下方へ旋回したとしても、物品がフックから外れることはなく、ハンガーからの物品の不用意な落下を防ぐことができる。
【発明を実施するための最良の形態】
【００１１】
添付の図面を参照し、本発明に係る埋め込み型ハンガーの詳細を説明すると、以下のとおりである。
【００１２】
図１，２は、構造物２に取り付けた状態で示す埋め込み型ハンガー１の斜視図と、アーム４の上端部１６と中間部１７とを切断して示すハンガー１の正面図とであり、図３，４は、ハンガー１の背面図と、図３のＩＶ−ＩＶ線端面図とである。図１には、アーム４が縦方向下方へ旋回した状態が仮想線で示されている、図１では、縦方向を矢印Ｌで示し、前後方向を矢印Ｍで示す。ハンガー１は、構造物２に固定される縦長のケース３と、縦方向上下に旋回する縦長のアーム４と、アーム４を縦方向上方へ旋回させるコイルバネ５（付勢バネ）と、制動装置６とから構成されている。ここで、構造物２とは、建築物や車両をいう。ハンガー１は、建築物の内壁や柱、仕切り板、車両の内壁に取り付けられる。
【００１３】
ケース３は、構造物２の外面から内側へ向かって凹む長円形の凹部７と、凹部７の頂縁に沿って凹部７の周方向へ延びる長円形のフランジ８（周縁部）と、凹部７を囲繞する胴部９とを有する。ケース３は、それが構造物２に固定されたときに、フランジ８が構造物２の外面に当接し、胴部９が構造物２に埋め込まれる。胴部９は、凹部７の周方向へ延びる周壁１０と、底壁１１とを有する。底壁１１には、ビス（図示せず）を挿通する螺子孔１２と、螺子孔１２の上方に位置する透孔１３と、螺子孔１２の下方に位置する貫通孔１４とが形成されている。透孔１３には、クッションゴム１５が取り付けられている。ビスを螺子孔１２に挿通して構造物２にねじ込むと、胴部９の底壁１１が構造物２とビスとに挟まれた状態でケース３が構造物２に固定される。
【００１４】
アーム４は、ケース３の凹部７に配置されている。アーム４は、凹部７の上方に位置する上端部１６と、凹部７の下方に位置する下端部１８と、上下端部１６，１８の間に延びる中間部１７とを有する。上端部１６には、凹部７の内側（前後方向後方）に向かって延びるフック１９が形成されている。下端部１８は、凹部７を横断する軸２０を介して胴部９に回転可能に取り付けられている。下端部１８には、凹部７の外側（前後方向前方）に向かって延びる押圧凸起２１と、ケース３内に位置して押圧凸起２１の反対側に延びるセクター歯車２２とが形成されている。コイルバネ５は、凹部７に配置され、軸２０に嵌め込まれている。バネ５は、縦方向へ延びる端部２３と、前後方向へ延びる端部２４とを有する。端部２３は、アーム４の下端部１８に当接している。端部２４は、貫通孔１４を通って胴部９の底壁１１に当接している。
【００１５】
図５，６は、制動装置６の斜視図と、図５のＶＩ−ＶＩ線端面図とである。制動装置６は、粘性流体２５（抵抗体）が充填されたハウジング２６と、ハウジング２６に回転可能に取り付けられた制動歯車２７とから形成されている。ハウジング２６は、有底円筒状の本体２８と、本体２８の上部開口を塞ぐキャップ２９と、キャップ２９に挿通された軸３０とから形成されている。ハウジング２６には、その径方向外方へ延びる取り付け座３１が形成されている。取り付け座３１には、透孔３２が形成されている。キャップ２９は、本体２８の開口に水密に嵌め込まれている。軸３０のハウジング２６内に位置する部分には、軸３０と交差して延びる複数のロータ３３が形成されている。制動歯車２７は、軸３０のハウジング２６から露出する部分に嵌め込まれている。
【００１６】
制動装置６は、ケース３内の貫通孔１４に配置され、ハウジング２６を介して胴部９の周壁１０に固定されている。ハウジング２６は、取り付け座３１の透孔３２に挿通されたピン３４を介して周壁１０に取り付けられている。ピン３４は、周壁１０に差し込まれている（図３参照）。制動装置６では、粘性流体２５内を回転するロータ３３に粘性流体２５による粘性抵抗が作用し、ロータ３３に作用する粘性抵抗が軸３０を介して制動歯車２７に伝わる。粘性流体２５の粘性抵抗は、歯車２７の回転抵抗となる。歯車２７には、アーム４の下端部１８に形成されたセクター歯車２２が噛み合っている。
【００１７】
ハンガー１では、指で押圧凸起２１を図４に矢印Ｍ１で示す前後方向後方へ押し、バネ５の反発力に抗してアーム４の下端部１８をケース３の凹部７に押し込むと、アーム４が図４に矢印Ｌ１で示す縦方向下方へ旋回する。アーム４が縦方向下方へ旋回すると、図１，４に仮想線で示すように、アーム４の上端部１６および中間部１７とともにフック１９がケース４の外側に露出する。露出したフック１９には、衣類や携帯品等の物品を引っ掛ける。ハンガー１は、アーム４が縦方向下方へ旋回して上端部１６とフック１９とがケース３に対して斜め上方に位置したときに、アーム４の下端部１８に形成された押圧凸起２１の後面が胴部９の底壁１１に当接してアーム４の縦方向下方への旋回が停止する。ハンガー１は、押圧凸起２１から指を離したり、フック１９に掛けた物品をフック１９から外すと、バネ５の反発力によってアーム４が縦方向上方へ旋回し、アーム４全体が凹部７に納まる。アーム４が凹部７に納まると、フック１９がクッションゴム１５に当接する。
【００１８】
アーム４が縦方向上下に旋回すると、セクター歯車２２が回転するとともに制動歯車２７が回転し、制動歯車２７の回転抵抗がバネ５に伝わるので、バネ５の反発力が制動歯車２７の回転抵抗によって抑制される。バネ５の反発力は、アーム４が凹部７に納まったときが小さく、図１，４に仮想線で示すように、アーム４を縦方向下方へ旋回させたときが大きい。ゆえに、バネ５の反発力は、アーム４が縦方向下方から上方へ旋回するにつれて次第に小さくなる。一方、制動歯車２７の回転抵抗は略一定なので、アーム４の旋回速度が縦方向下方から上方へ向かうにつれて次第に減速する。
【００１９】
ハンガー１では、セクター歯車２２が噛み合う制動歯車２７の回転抵抗によってバネ５の反発力が抑制され、アーム４の旋回速度が縦方向下方から上方へ向かうにつれて次第に減速するので、押圧凸起２１から指を離したとしても、アーム４が瞬時にケース３の凹部７に納まることがなく、物品を素早くフック１９に掛ける必要はない。このハンガー１は、物品をフック１９に掛ける前にアーム４が凹部７に納まってしまうことがなく、一度の操作で物品をフック１９に確実に引っ掛けることができる。
【００２０】
ハンガー１は、アーム４が縦方向下方へ旋回して上端部１６とフック１９とがケース３に対して斜め上方に位置したときに、アーム４の縦方向下方への旋回が停止するので、フック１９に掛けられた物品の重さでアーム４が縦方向下方へ旋回したとしても、物品がフック１９から外れることはなく、ハンガー１から物品が不用意に落下することはない。
【００２１】
ケース３やアーム４、制動装置６は、合成樹脂から作られている。粘性流体２５には、シリコンオイルやグリース等の粘度の高い潤滑油が使用されている。制動装置６のハウジング２６には、粘性流体の他に、ゴムにシリコンオイルを添加、混練して製造したシリコンオイル混練ゴム粒体（抵抗体）やシリコンオイル混練ゴムシート（抵抗体）が収容されていてもよい。ハウジング２６にシリコンオイル混練ゴム粒体を収容した制動装置６では、ゴム粒体内を回転するロータ３３にゴム粒体による抵抗が作用し、ロータ３３に作用する抵抗が軸３０を介して制動歯車２７に伝わる。ハウジング２６にシリコンオイル混練ゴムシートを収容した制動装置６では、ロータ３３がゴムシートの表面に当接してロータ３３にゴムシートによる抵抗が作用し、ロータ３３に作用する抵抗が軸３０を介して制動歯車２７に伝わる。
【図面の簡単な説明】
【００２２】
【図１】構造物の壁に取り付けた状態で示す埋め込み型ハンガーの斜視図。
【図２】アームの上端部と中間部とを切断して示すハンガーの正面図。
【図３】ハンガーの背面図。
【図４】図３のＩＶ−ＩＶ線端面図。
【図５】制動装置の斜視図。
【図６】図５のＶＩ−ＶＩ線端面図。
【符号の説明】
【００２３】
１    埋め込み型ハンガー
２    構造物
３    ケース
４    アーム
５    コイルバネ（付勢バネ）
６    制動装置
７    凹部
８    フランジ（周縁部）
９    胴部
１０    周壁
１１    底壁
１６    上端部
１７    中間部
１８    下端部
１９    フック
２０    軸
２１    押圧凸起
２２    セクター歯車
２５    粘性粒体（抵抗体）
２６    ハウジング
２７    制動歯車
【図１】
2005245554.tif 000003
【図２】
2005245554.tif 000004
【図３】
2005245554.tif 000005
【図４】
2005245554.tif 000006
【図５】
2005245554.tif 000007
【図６】
2005245554.tif 000008